(57)【要約】【課題】サーバ装置の電源状態を好適に制御することができ、ユーザにとって使い勝手のよいクライアント・サーバシステムを提供する。【解決手段】クライアント端末装置４は、電源オフ移行通知手段（電源オフ移行通知プログラム４５３ａ等）により、サーバ装置２とのリンク中に電源オフ状態に移行する場合に電源オフ移行通知信号をサーバ装置２に送信し、サーバ装置２は、判断手段（判断プログラム２４３ｂ等）により、当該サーバ装置２に接続されているクライアント端末装置４が電源オフ移行通知信号を送信したクライアント端末装置４のみであるか否かを判断し、当該サーバ装置２に接続されているクライアント端末装置４が電源オフ移行通知信号を送信したクライアント端末装置４である場合に、電源オフ移行手段（電源オフ移行プログラム２４３ｃ等）により電源オフ状態に移行する。【選択図】図２
2007293776.tif 000002
【特許請求の範囲】
【請求項１】
複数のクライアント端末装置と、当該複数のクライアント端末装置と無線ネットワークを介して接続され、情報を送受信するサーバ装置と、を備えるクライアント・サーバシステムにおいて、
前記クライアント端末装置は、
前記サーバ装置とのリンク中に電源オフ状態に移行する場合に、電源オフ状態に移行することを通知する電源オフ移行通知信号を前記サーバ装置に送信する電源オフ移行通知手段と、
前記サーバ装置とのリンク中にスタンバイ状態に移行する場合に、スタンバイ状態に移行することを通知するスタンバイ移行通知信号を前記サーバ装置に送信するスタンバイ移行通知手段と、
電源オフ状態或いはスタンバイ状態から電源オン状態に移行する場合に、電源オン状態に移行することを通知する電源オン移行通知信号を前記サーバ装置に送信する電源オン移行通知手段と、
を備え、
前記サーバ装置は、
前記電源オフ移行通知信号又は前記スタンバイ移行通知信号若しくは前記電源オン移行通知信号を受信する受信手段と、
前記受信手段により、前記電源オフ移行通知信号又は前記スタンバイ移行通知信号を受信した際に、当該サーバ装置に接続されているクライアント端末装置が前記電源オフ状態移行通知信号又は前記スタンバイ移行通知信号を送信したクライアント端末装置のみであるか否かを判断する判断手段と、
前記受信手段による前記電源オフ移行通知信号の受信に基づいて、電源オフ状態に移行する電源オフ移行手段と、
前記受信手段による前記スタンバイ移行通知信号の受信に基づいて、スタンバイ状態に移行するスタンバイ移行手段と、
前記受信手段による前記電源オン移行通知信号の受信に基づいて、電源オン状態に移行する電源オン移行手段と、を備え、
前記電源オフ移行手段及び前記スタンバイ移行手段は、前記判断手段により、当該サーバ装置に接続されているクライアント端末装置が前記電源オフ移行通知信号又は前記スタンバイ移行通知信号を送信したクライアント端末装置のみであると判断された場合に実行されることを特徴とするクライアント・サーバシステム。  
【請求項２】
複数のクライアント端末装置と、当該複数のクライアント端末装置と無線ネットワークを介して接続され、情報を送受信するサーバ装置と、を備えるクライアント・サーバシステムにおいて、
前記クライアント端末装置は、
前記サーバ装置とのリンク中に電源オフ状態に移行する場合に、電源オフ状態に移行することを通知する電源オフ移行通知信号を前記サーバ装置に送信する電源オフ移行通知手段を備え、
前記サーバ装置は、
前記電源オフ移行通知信号を受信する受信手段と、
前記受信手段により、前記電源オフ移行通知信号を受信した際に、当該サーバ装置に接続されているクライアント端末装置が前記電源オフ移行通知信号を送信したクライアント端末装置のみであるか否かを判断する判断手段と、
前記判断手段により、当該サーバ装置に接続されているクライアント端末装置が前記電源オフ移行通知信号を送信したクライアント端末装置のみであると判断された場合に、前記受信手段による前記電源オフ移行通知信号の受信に基づいて、電源オフ状態に移行する電源オフ移行手段と、
を備えることを特徴とするクライアント・サーバシステム。  
【請求項３】
複数のクライアント端末装置と、当該複数のクライアント端末装置と無線ネットワークを介して接続され、情報を送受信するサーバ装置と、を備えるクライアント・サーバシステムにおいて、
前記クライアント端末装置は、
前記サーバ装置とのリンク中にスタンバイ状態に移行する場合に、スタンバイ状態に移行することを通知するスタンバイ移行通知信号を前記サーバ装置に送信するスタンバイ移行通知手段を備え、
前記サーバ装置は、
前記スタンバイ移行通知信号を受信する受信手段と、
前記受信手段により、前記スタンバイ移行通知信号を受信した際に、当該サーバ装置に接続されているクライアント端末装置が前記電源オフ移行通知信号を送信したクライアント端末装置のみであるか否かを判断する判断手段と、
前記判断手段により、当該サーバ装置に接続されているクライアント端末装置が前記スタンバイ移行通知信号を送信したクライアント端末装置のみであると判断された場合に、前記受信手段による前記スタンバイ移行通知信号の受信に基づいて、スタンバイ状態に移行するスタンバイ移行手段と、
を備えることを特徴とするクライアント・サーバシステム。
【請求項４】
前記クライアント端末装置は、
電源オフ状態或いはスタンバイ状態から電源オン状態に移行する場合に、電源オン状態に移行することを通知する電源オン移行通知信号を前記サーバ装置に送信する電源オン移行通知手段を備え、
前記サーバ装置は、
前記電源オン移行通知信号を受信する受信手段と、
前記受信手段による前記電源オン移行通知信号の受信に基づいて、電源オン状態に移行する電源オン移行手段と、
を備えることを特徴とする請求項２又は３に記載のクラインアント・サーバシステム。
【発明の詳細な説明】
【技術分野】
【０００１】
本発明は、複数のクライアント端末装置とサーバ装置とが無線ネットワークを介して接続されるクライアント・サーバシステムに関する。
【背景技術】
【０００２】
近年、ネットワークを介して、サーバ装置からクライアント端末装置に情報（コンテンツ情報）を提供するシステムが利用されている。サーバ装置には、例えば、テレビジョン装置、ビデオレコーダ、ＰＶＲ（Personal Video Recorder）、ＢＳ（Broadcasting Satellite）放送やＣＳ（Communication Satellite）放送のチューナ、ＳＴＢ（Set Top Box
）、ＤＶＤ（Digital Versatile Disk）プレイヤー、オーディオ装置などの複数種類のＡＶ機器が接続されており、サーバ装置に接続されるＡＶ機器に対応したコンテンツ情報を、サーバ装置からクライアント端末装置に転送して提供することができるようになっている。
【０００３】
ところで、このようなクライアント・サーバシステムでは、クライアント端末装置或いはサーバ装置の電源状態を、もう一方の装置により制御することが行われている。
例えば、特許文献１に開示された携帯型記憶媒体を用いたパソコン制御システム及びその記憶媒体によれば、携帯型記憶媒体のクライアントパソコンへの装着に応答して、ホストパソコンを起動して制御し、また、ホストパソコンの電源がオフであるときには当該電源をオンとした後、ホストパソコンを起動して制御する。この構成により、何時でも何処でもホストパソコンの利用環境をそのまま利用可能とし、ホストパソコンの電源がオフ状態であってもクライアントパソコンからの制御により当該電源をオン状態として利用可能として、省電力化を図ることができる。
また、例えば、特許文献２に開示されたネットワーク資産のマウント方式によれば、サーバマシン側に、クライアントマシン側からのリモートマウント要求に応じてサーバマシンの電源を制御するためのサーバマシン自動電源制御手段を設け、このサーバマシン自動電源制御手段は、クライアントマシンから発せられたリモートマウント要求を受け付け、リモートマウント要求を受け付けたことを条件として、サーバマシンの電源を投入してサーバマシンのオペレーションシステムを起動する。これにより、リモートマウント要求に応じた処理をサーバマシンに実行させ、マウント先のサーバマシンが起動されていない場合であっても、クライアントマシンからサーバマシンが持つハードウェア資産に対するリモートマウントを可能とすることができる。
また、特許文献３に開示された情報処理装置によれば、主処理装置及び端末装置にそれぞれ通信装置を設け、主処理装置に設けられた待機制御部を、通信装置を介して端末装置により制御することにより、主処理装置の稼動状態によらず端末装置からのシステムの動作制御を可能とすることができる。
さらに、特許文献４に開示された携帯情報端末及び本体情報機器並びにこれらの通信システムによれば、携帯情報端末と本体情報機器の両方にワイヤレス通信装置を設け、本体情報機器には電源の制御と本体情報機器の動作を制御するための常時動作する手段を設けて、携帯情報端末上での操作によって本体情報機器の電源スイッチの状態に関係なく、また携帯情報端末上での操作だけで携帯情報端末から本体情報機器へデータを送信する。この構成により、使用者は本体情報機器の電源スイッチの状態を意識することなく携帯情報端末の操作だけで本体情報機器へのデータ転送を行うことができるようになり、携帯情報端末と本体情報機器の間の通信を携帯情報端末を操作するだけで行うことができる。
【特許文献１】特開２００５−１６５５５４号公報
【特許文献２】特開２０００−３０５６６４号公報
【特許文献３】特開平１１−２５９１８８号公報
【特許文献４】特開平９−２３３５６３号公報
【発明の開示】
【発明が解決しようとする課題】
【０００４】
しかしながら上記特許文献１〜４の技術では、クライアント端末装置によりサーバ装置の電源状態を制御することは可能であるものの、当該サーバ装置に他のクライアント端末装置が接続されている場合に、一のクライアント端末装置によりサーバ装置の電源がオフされてしまうと、他のクライアント端末装置とサーバ装置との接続が切断されてしまうという問題があった。
【０００５】
本発明の課題は、サーバ装置の電源状態を好適に制御することができ、ユーザにとって使い勝手のよいクライアント・サーバシステムを提供することである。
【課題を解決するための手段】
【０００６】
上記課題を解決するため、請求項１に記載の発明は、複数のクライアント端末装置と、当該複数のクライアント端末装置と無線ネットワークを介して接続され、情報を送受信するサーバ装置と、を備えるクライアント・サーバシステムにおいて、
前記クライアント端末装置は、
前記サーバ装置とのリンク中に電源オフ状態に移行する場合に、電源オフ状態に移行することを通知する電源オフ移行通知信号を前記サーバ装置に送信する電源オフ移行通知手段と、
前記サーバ装置とのリンク中にスタンバイ状態に移行する場合に、スタンバイ状態に移行することを通知するスタンバイ移行通知信号を前記サーバ装置に送信するスタンバイ移行通知手段と、
電源オフ状態或いはスタンバイ状態から電源オン状態に移行する場合に、電源オン状態に移行することを通知する電源オン移行通知信号を前記サーバ装置に送信する電源オン移行通知手段と、
を備え、
前記サーバ装置は、
前記電源オフ移行通知信号又は前記スタンバイ移行通知信号若しくは前記電源オン移行通知信号を受信する受信手段と、
前記受信手段により、前記電源オフ移行通知信号又は前記スタンバイ移行通知信号を受信した際に、当該サーバ装置に接続されているクライアント端末装置が前記電源オフ移行通知信号又は前記スタンバイ移行通知信号を送信したクライアント端末装置のみであるか否かを判断する判断手段と、
前記受信手段による前記電源オフ移行通知信号の受信に基づいて、電源オフ状態に移行する電源オフ移行手段と、
前記受信手段による前記スタンバイ移行通知信号の受信に基づいて、スタンバイ状態に移行するスタンバイ移行手段と、
前記受信手段による前記電源オン移行通知信号の受信に基づいて、電源オン状態に移行する電源オン移行手段と、を備え、
前記電源オフ移行手段及び前記スタンバイ移行手段は、前記判断手段により、当該サーバ装置に接続されているクライアント端末装置が前記電源オフ移行通知信号又は前記スタンバイ移行通知信号を送信したクライアント端末装置のみであると判断された場合に実行されることを特徴とする。  
【０００７】
請求項２に記載の発明は、複数のクライアント端末装置と、当該複数のクライアント端末装置と無線ネットワークを介して接続され、情報を送受信するサーバ装置と、を備えるクライアント・サーバシステムにおいて、
前記クライアント端末装置は、
前記サーバ装置とのリンク中に電源オフ状態に移行する場合に、電源オフ状態に移行することを通知する電源オフ移行通知信号を前記サーバ装置に送信する電源オフ移行通知手段を備え、
前記サーバ装置は、
前記電源オフ移行通知信号を受信する受信手段と、
前記受信手段により、前記電源オフ移行通知信号を受信した際に、当該サーバ装置に接続されているクライアント端末装置が前記電源オフ移行通知信号を送信したクライアント端末装置のみであるか否かを判断する判断手段と、
前記判断手段により、当該サーバ装置に接続されているクライアント端末装置が前記電源オフ移行通知信号を送信したクライアント端末装置のみであると判断された場合に、前記受信手段による前記電源オフ移行通知信号の受信に基づいて、電源オフ状態に移行する電源オフ移行手段と、
を備えることを特徴とする。
【０００８】
請求項３に記載の発明は、複数のクライアント端末装置と、当該複数のクライアント端末装置と無線ネットワークを介して接続され、情報を送受信するサーバ装置と、を備えるクライアント・サーバシステムにおいて、
前記クライアント端末装置は、
前記サーバ装置とのリンク中にスタンバイ状態に移行する場合に、スタンバイ状態に移行することを通知するスタンバイ移行通知信号を前記サーバ装置に送信するスタンバイ移行通知手段を備え、
前記サーバ装置は、
前記スタンバイ移行通知信号を受信する受信手段と、
前記受信手段により、前記スタンバイ移行通知信号を受信した際に、当該サーバ装置に接続されているクライアント端末装置が前記電源オフ移行通知信号を送信したクライアント端末装置のみであるか否かを判断する判断手段と、
前記判断手段により、当該サーバ装置に接続されているクライアント端末装置が前記スタンバイ移行通知信号を送信したクライアント端末装置のみであると判断された場合に、前記受信手段による前記スタンバイ移行通知信号の受信に基づいて、スタンバイ状態に移行するスタンバイ移行手段と、
を備えることを特徴とする。
【０００９】
請求項４に記載の発明は、請求項２又は３に記載のクライアント・サーバシステムにおいて、前記クライアント端末装置は、
電源オフ状態或いはスタンバイ状態から電源オン状態に移行する場合に、電源オン状態に移行することを通知する電源オン移行通知信号を前記サーバ装置に送信する電源オン移行通知手段を備え、
前記サーバ装置は、
前記電源オン移行通知信号を受信する受信手段と、
前記受信手段による前記電源オン移行通知信号の受信に基づいて、電源オン状態に移行する電源オン移行手段と、
を備えることを特徴とする。
【発明の効果】
【００１０】
請求項１に記載の発明によれば、クライアント端末装置は、サーバ装置とのリンク中に電源オフ状態に移行する場合に、電源オフ移行通知手段により電源オフ状態に移行することを通知する電源オフ移行通知信号をサーバ装置に送信し、サーバ装置とのリンク中にスタンバイ状態に移行する場合に、スタンバイ移行通知手段によりスタンバイ状態に移行することを通知するスタンバイ移行通知信号をサーバ装置に送信し、電源オフ状態或いはスタンバイ状態から電源オン状態に移行する場合に、電源オン移行通知手段により電源オン状態に移行することを通知する電源オン移行通知信号をサーバ装置に送信する。また、サーバ装置は、受信手段により電源オフ移行通知信号又はスタンバイ移行通知信号若しくは電源オン移行通知信号を受信し、受信手段により電源オフ移行通知信号又はスタンバイ移行通知信号を受信した際に、判断手段により当該サーバ装置に接続されているクライアント端末装置が電源オフ移行通知信号又はスタンバイ移行通知信号を送信したクライアント端末装置のみであるか否かを判断する。さらに、電源オフ移行手段により、受信手段による電源オフ移行通知信号の受信に基づいて電源オフ状態に移行し、スタンバイ移行手段により、受信手段によるスタンバイ移行通知信号の受信に基づいてスタンバイ状態に移行し、電源オン移行手段により、受信手段による電源オン移行通知信号の受信に基づいて電源オン状態に移行し、電源オフ移行手段及びスタンバイ移行手段は、判断手段により、当該サーバ装置に接続されているクライアント端末装置が電源オフ移行通知信号又はスタンバイ移行通知信号を送信したクライアント端末装置のみであると判断された場合に実行される。従って、サーバ装置に他のクライアント端末装置が接続されていない場合にのみ、一のクライアント端末装置の制御により当該サーバ装置の電源状態を電源オフ状態又はスタンバイ状態に好適に制御することができ、また、手動でサーバ装置を電源オフ状態又はスタンバイ状態或いは電源オン状態に制御する手間を省くことができることとなって、ユーザにとって使い勝手の良いクライアント・サーバシステムを提供することができる。
【００１１】
請求項２に記載の発明によれば、クライアント端末装置は、電源オフ移行通知手段により、サーバ装置とのリンク中に電源オフ状態に移行する場合に、電源オフ状態に移行することを通知する電源オフ移行通知信号をサーバ装置に送信し、サーバ装置は、受信手段により電源オフ移行通知信号を受信した際に、判断手段により、当該サーバ装置に接続されているクライアント端末装置が電源オフ移行通知信号を送信したクライアント端末装置のみであるか否かを判断し、当該サーバ装置に接続されているクライアント端末装置が電源オフ移行通知信号を送信したクライアント端末装置のみであると判断した場合に、電源オフ移行手段により電源オフ状態に移行する。従って、サーバ装置に他のクライアント端末装置が接続されていない場合にのみ、一のクライアント端末装置の制御により当該サーバ装置の電源状態を電源オフ状態に好適に制御することができ、また、手動でサーバ装置を電源オフ状態に制御する手間を省くことができることとなって、ユーザにとって使い勝手の良いクライアント・サーバシステムを提供することができる。
【００１２】
請求項３に記載の発明によれば、クライアント端末装置は、スタンバイ移行通知手段により、サーバ装置とのリンク中にスタンバイ状態に移行する場合に、スタンバイ状態に移行することをサーバ装置に通知し、サーバ装置は、受信手段によりスタンバイ移行通知信号を受信した際に、判断手段により、当該サーバ装置に接続されているクライアント端末装置が電源オフ移行通知信号を送信したクライアント端末装置のみであるか否かを判断し、当該サーバ装置に接続されているクライアント端末装置がスタンバイ移行通知信号を送信したクライアント端末装置のみであると判断した場合に、スタンバイ移行手段によりスタンバイ状態に移行する。従って、サーバ装置に他のクライアント端末装置が接続されていない場合にのみ、一のクライアント端末装置の制御により当該サーバ装置の電源状態をスタンバイ状態に好適に制御することができ、また、手動でサーバ装置をスタンバイ状態に制御する手間を省くことができることとなって、ユーザにとって使い勝手の良いクライアント・サーバシステムを提供することができる。
【００１３】
請求項４に記載の発明によれば、請求項２又は３に記載の発明の効果が得られるのは無論のこと、クライアント端末装置は、電源オン移行通知手段により、電源オフ状態或いはスタンバイ状態から電源オン状態に移行する場合に、電源オン状態に移行することを通知する電源オン移行通知信号をサーバ装置に送信し、サーバ装置は、受信手段による電源オン移行通知信号の受信に基づいて、電源オン移行手段により電源オン状態に移行する。従って、クライアント端末装置の制御により、サーバ装置の電源状態をスタンバイ状態に制した後に、再び電源オン状態に制御することができるので、手動で電源オン状態に制御する手間を省くことができることとなって、ユーザにとってより使い勝手の良いクライアント・サーバシステムを提供することができる。
【発明を実施するための最良の形態】
【００１４】
以下、図を参照して、本発明を実施するための最良の形態を詳細に説明する。なお、発明の範囲は、図示例に限定されない。
【００１５】
＜構成＞
まず、クライアント・サーバシステムＳ、サーバ装置２及びクライアント端末装置４の構成を説明する。
【００１６】
[クライアント・サーバシステムの構成]
クライアント・サーバシステムＳは、例えば、図１に示すように、各種ＡＶ機器１を接続するサーバ装置２と、出力装置３を接続する複数のクライアント端末装置４…と、などから構成される。サーバ装置２とクライアント端末装置４とは、無線ネットワークＮを介して接続されており、互いに情報を送受信することができるようになっている。クライアント端末装置４は、機器本体４１とリモコン４２を備えて構成されている。
なお、サーバ装置２に対するクライアント端末装置４の個数は、図１の限りではない。
【００１７】
サーバ装置２からクライアント端末装置４に送信される情報として、例えば、コンテンツ情報などがある。コンテンツ情報は、例えば、サーバ装置２に接続された各種ＡＶ機器１から取得され、クライアント端末装置４に接続された出力装置３に出力される。
クライアント端末装置４からサーバ装置２に送信される情報として、例えば、制御要求などがある。制御要求は、サーバ装置２とのリンク確立後に、サーバ装置２から送信されているコンテンツ情報を要求するものである。
具体的には、例えば、クライアント端末装置４は、リモコン４２から一のコンテンツ情報に対する制御要求に関する信号を受信すると、当該信号に対応する制御要求をサーバ装置２に送信する。当該制御要求を受信したサーバ装置２は、各種ＡＶ機器１などに対して、当該制御要求に対応した制御を実行し、当該実行の結果、得られた情報を、クライアント端末装置４に送信する。そして、当該情報を受信したクライアント端末装置４は、出力装置３などに、当該情報を出力する。
【００１８】
無線ネットワークＮは、例えば、Bluetooth規格やIEEE（Institute of Electrical and
Electronic Engineers）802.11規格に準じた無線ＬＡＮ（Local Area Network）などのネットワークである。
【００１９】
リモコン４２は、例えば、図２に示すように、各種入力ボタンなどを備え、ユーザによって、各種入力ボタンのうちの何れかの入力ボタンが押下されると、当該入力ボタンに対応した信号を、クライアント端末装置４のリモコン信号受光部４１に送信する。具体的には、リモコン４２は電源オン／スタンバイキー４２ａを備え、当該電源オン／スタンバイキー４２ａを操作すると、クライアント端末装置４が電源オン状態／スタンバイ状態となる。
【００２０】
[クライアント端末装置の構成]
クライアント端末装置４は、例えば、図２に示すように、リモコン信号受光部４１、デコーダ４２、主電源部４３、予備電源部４４、制御部４５、無線通信部４６、などを備えて構成される。各部は、バス４７によって接続されている。そして、クライアント端末装置４は、出力装置３を接続しており、リモコン４２によって操作できるようになっている。
【００２１】
リモコン信号受光部４１は、例えば、リモコン４２から送信された各種リモコン信号を受信する。
【００２２】
デコーダ４２は、例えば、制御部４５からの指示に従って、無線通信部４６により受信されたコンテンツを、デコードして、出力装置３に出力する。
【００２３】
主電源部４３は、例えば、図示しない電源コードを介して商用交流電源から供給された交流電圧を、所定の電圧値の直流電圧ＶＣＣ、ＶＤＤに変換し、制御部４５に出力する。当該主電源部４３は、制御部４５から出力される電源オンを命ずる制御信号を受信すると、商用交流電源からの電源供給を有効化して全装置構成部への電源供給を行い、電源オン状態に移行する。また、電源オフを命ずる制御信号を受信すると、商用交流電源からの電源供給を無効化して全装置構成部への電源供給を断ち、電源オフ状態に移行する。さらに、スタンバイを命ずる制御信号を受信すると、商用交流電源からの電源供給を一部無効化してデコーダ４２等の各装置構成部に対する電源供給を断ち、スタンバイ状態に移行する。
【００２４】
予備電源部４４は、例えば、充電可能なバッテリー（図示省略）等を内蔵し、所定の場合に、サーバ装置２の各装置構成部に電源を供給する。具体的には、予備電源部４４は、電源オフ移行通知プログラム４５３ａ又はスタンバイ移行通知プログラム４５３ｂの実行において、電源オフ移行通知信号又はスタンバイ移行通知信号をクライアント端末装置４に送信する際に、主電源部４３に代わって制御部４５、無線通信部４６等の各装置構成部に対して電源供給を行う。
なお、予備電源部４４は、電源オン状態において、主電源部４３により充電されるようになっている。
【００２５】
ここで、本クライアント端末装置４におけるスタンバイ状態とは、スタンバイ状態に移行する直前の状態をメモリに保存したまま、リモコン４２、機器本体４１又は無線ネットワークＮからの復帰信号（例えば、電源オン信号）のみを受け付け、クライアント端末装置４を構成するその他の各装置構成部への電源供給を遮断した状態をいう。スタンバイ状態では、メモリ等の特定の装置構成部のみが稼動することとなり、電源オン状態への復帰を、電源オフ状態からの復帰に比べて、短時間で行うことができる。
一方、本クライアント端末装置４における電源オフ状態とは、リモコン４２や、無線ネットワークＮを介して送信されるいかなる信号も受け付けず、機器本体４１からの電源オン信号のみを受け付けて、クライアント端末装置４を構成する全ての装置構成部に対しての電源供給が遮断された状態をいい、電源オフ状態に移行する直前のメモリ内容はクリアされる。電源オフ状態では、全装置構成部の稼動が停止するため、電源オフ状態ではスタンバイ状態に比べて電力消費を大幅に抑えることができる。
ここでいう全装置構成部は、本実施形態のクライアント端末装置４では、例えば、リモコン信号受光部４１、デコーダ４２、主電源部４３、予備電源部４４、制御部４５、無線通信部４６等を指している。
本実施形態では、クライアント端末装置４におけるスタンバイ状態が、例えば、リモコン４２に備わる電源オン／スタンバイキー４２ａが操作されることにより実現され、また、クライアント端末装置４における電源オフ状態は、例えば、機器本体４１に備わる電源オン／オフキー４１ａが操作されることにより実現される場合について説明する。
【００２６】
制御部４５は、図２に示すように、ＣＰＵ（Central Processing Unit）４５１、ＲＡＭ（Random Access Memory）４５２、ＲＯＭ（Read Only Memory）４５３などを備えている。
【００２７】
ＣＰＵ４５１は、ＲＯＭ４５３に記憶されたクライアント端末装置４用の各種処理プログラムに従って各種の制御動作を行う。
【００２８】
ＲＡＭ４５２は、ＣＰＵ４５１によって実行される処理プログラムなどを展開するためのプログラム格納領域や、入力データや上記処理プログラムが実行される際に生じる処理結果などを格納するデータ格納領域などを備える。
【００２９】
ＲＯＭ４５３は、クライアント端末装置４で実行可能なシステムプログラム、当該システムプログラムで実行可能な各種処理プログラム、これら各種処理プログラムを実行する際に使用されるデータ、ＣＰＵ４５１によって演算処理された処理結果のデータなどを記憶する。なお、プログラムは、コンピュータが読み取り可能なプログラムコードの形でＲＯＭ４５３に記憶されている。
具体的には、ＲＯＭ４５３には、例えば、電源オフ移行通知プログラム４５３ａと、スタンバイ移行通知プログラム４５３ｂと、電源オン移行通知プログラム４５３ｃと、等が格納されている。
【００３０】
電源オフ移行通知プログラム４５３ａは、例えば、ＣＰＵ４５１に、サーバ装置２とのリンク中に電源オフ状態に移行する場合に、電源オフ状態に移行することを通知する電源オフ移行通知信号を、サーバ装置２に送信する機能を実現するためのプログラムである。
具体的には、ＣＰＵ４５１は、例えば、サーバ装置２とのリンク中に、機器本体４１に設けられた電源オン／オフキー４１ａの操作に基づいて生成された制御信号が制御部４５に出力されると、当該制御信号に基づいて主電源部４３に制御信号を出力することにより、主電源部４３を電源オフ状態に制御して全装置構成部への電源供給を停止させ、さらに、予備電源部４４からの電源供給により、電源オフ状態に移行することを通知する電源オフ移行通知信号を、無線通信部４６を介してサーバ装置２に送信する。
ＣＰＵ４５１は、かかる電源オフ移行通知プログラム４５３ａを実行することにより、電源オフ移行通知手段として機能する。
【００３１】
スタンバイ移行通知プログラム４５３ｂは、例えば、ＣＰＵ４５１に、サーバ装置２とのリンク中にスタンバイ状態に移行する場合に、スタンバイ状態に移行することを通知するスタンバイ移行通知信号を、サーバ装置２に送信する機能を実現するためのプログラムである。
具体的には、ＣＰＵ４５１は、例えば、サーバ装置２とのリンク中に、リモコン４２の電源オン／スタンバイキー４２ａの操作に基づいて生成されたリモコン信号がリモコン信受光部４１により受信され、制御部４５に出力されると、当該リモコン信号に基づいて主電源部４３に制御信号を出力することにより、主電源部４３をスタンバイ状態に制御して所定の各装置構成部への電源供給を停止させ、さらに、予備電源部４４からの電源供給により、スタンバイ状態に移行することを通知する電源オフ移行通知信号を、無線通信部４６を介してサーバ装置２に送信する。
ＣＰＵ４５１は、かかるスタンバイ移行通知プログラム４５３ｂを実行することにより、スタンバイ移行通知手段として機能する。
【００３２】
電源オン移行通知プログラム４５３ｃは、例えば、ＣＰＵ４５１に、電源オフ状態或いはスタンバイ状態から電源オン状態に移行する場合に、電源オン状態に移行することを通知する電源オン移行通知信号をサーバ装置２に送信する機能を実現するためのプログラムである。
具体的には、ＣＰＵ４５１は、例えば、クライアント端末装置４の全装置構成部への電源供給が停止した電源オフ状態で、機器本体４１の電源オン／オフキー４１ａが操作された場合、或いは、所定の各装置構成部への電源供給が行われるスタンバイ状態で、リモコン４２の電源オン／スタンバイキー４２ａが操作された場合に、制御部４５に出力された制御信号或いはリモコン信号に基づいて、主電源部４３に制御信号を出力することにより、主電源部４３を電源オン状態に制御して全装置構成部への電源供給を開始させ、さらに、主電源部４３からの電源供給により、電源オン状態に移行することを通知する電源オン移行通知信号を、無線通信部４６を介してサーバ装置２に送信する。
ＣＰＵ４５１は、かかる電源オン移行通知プログラム４５３ｃを実行することにより、電源オン移行通知手段として機能する。
【００３３】
無線通信部４６は、例えば、ＣＰＵ４５１の制御下にて無線ネットワークＮを介してクライアント端末装置４との間で各種情報の送受信を行うものであり、具体的には、サーバ装置２との間で無線信号の送受信を行うためのアンテナ４６ａや、電波の送受信をコントロールするメディア・アクセス・コントローラ（ＭＡＣ）４６ｂなどを備えるIEEE802.11a,b,g規格に準じた無線ＬＡＮカード（図示省略）等を備えている。
具体的には、無線通信部４６は、サーバ装置２の無線通信部４６（後述）に対して、電源オフ移行通知プログラム４５３ａの実行に際して電源オフ移行通知信号を送信し、スタンバイ移行通知プログラム４５３ｂの実行に際してスタンバイ移行通知信号を送信し、さらに、電源オン処理の実行により電源オン状態に移行した際に電源オン移行通知信号を送信する。当該無線通信部４６は、当該電源オフ移行通知信号、スタンバイ移行通知信号、電源オン移行通知信号を送信することにより電源オフ移行通知手段、スタンバイ移行通知手段及び電源オン移行通知手段として機能する。
なお、無線通信部４６は、例えば、アンテナ４６ａを介して送信される信号を増幅する信号増幅部（図示略）を備えても良い。また、無線通信部４６は、例えば、情報の送受信に際して送信及び受信に係る機能を切り替えるためのスイッチ（図示略）を備えても良い。
【００３４】
出力装置３は、例えば、クライアント端末装置４から入力されるコンテンツ情報（映像情報や音声情報）を出力する。具体的には、例えば、出力装置３は、映像情報を出力する映像出力部３１や、音声情報を出力する音声出力部３２などを備えている。
【００３５】
[サーバ装置の構成]
サーバ装置２は、例えば、図２に示すように、無線通信部２１、エンコーダ２２、電源部２３、制御部２４などを備えて構成される。各部は、バス２５によって接続されている。そして、サーバ装置２は、各種ＡＶ機器１を接続している。
【００３６】
無線通信部２１は、例えば、クライアント端末装置４に備わる無線通信部４６とほぼ同様に、ＣＰＵ２４１の制御下にて無線ネットワークＮを介してクライアント端末装置４との間で各種情報の送受信を行うものであり、具体的には、クライアント端末装置４との間で無線信号の送受信を行うためのアンテナ２１ａや、電波の送受信をコントロールするメディア・アクセス・コントローラ（ＭＡＣ）２１ｂなどを備えるIEEE802.11a,b,g規格に準じた無線ＬＡＮカード（図示省略）等を備えている。
具体的には、本発明における無線通信部２１は、クライアント端末装置４から送信された電源オフ移行通知信号、スタンバイ移行通知信号、電源オン移行通知信号を受信する。当該無線通信部２１は、電源オフ移行通知信号、スタンバイ移行通知信号及び電源オン移行通知信号を受信することにより、受信手段として機能する。
また、ＭＡＣ２１ｂは、例えば、ＣＰＵ２４１の制御による所定のタイミングで（例えば、判断プログラム２４３ｂの実行に際して）、サーバ装置２に接続されたクライアント数を検出するようになっている。ＭＡＣ２１ｂにより検出された接続クライアント数は、制御部２４に対して出力されることとなる。
【００３７】
エンコーダ２２は、例えば、各種ＡＶ機器１からサーバ装置２に入力されるコンテンツ情報（映像情報や音声情報）を、所定のファイル形式の圧縮コンテンツ情報（圧縮映像情報や圧縮音声情報）にエンコードする。具体的には、例えば、エンコーダ２２は、各種ＡＶ機器１からサーバ装置２に入力される映像情報を、ＭＰＥＧ−２（Moving Picture Experts Group phase 2）形式などの圧縮映像情報にエンコードし、各種ＡＶ機器１からサーバ装置２に入力される音声情報を、ＡＡＣ（Advanced Audio Coding）形式などの圧縮音声情報にエンコードする。
【００３８】
電源部２３は、例えば、図示しない電源コードを介して商用交流電源から供給された交流電圧を、所定の電圧値の直流電圧ＶＣＣ、ＶＤＤに変換し、制御部２４に出力する。当該電源部２３は、制御部２４から出力される電源オンを命ずる制御信号を受信すると、商用交流電源からの電源供給を有効化して全装置構成部への電源供給を行い、電源オン状態に移行する。また、電源オフを命ずる制御信号を受信すると、商用交流電源からの電源供給を無効化して全装置構成部への電源供給を断つ電源オフ状態に移行する。さらに、スタンバイを命ずる制御信号を受信すると、商用交流電源からの電源供給を一部無効化してエンコーダ２２等の各装置構成部に対する電源供給を断ち、スタンバイ状態に移行する。
【００３９】
ここで、本サーバ装置２におけるスタンバイ状態とは、スタンバイ状態に移行する直前の状態をメモリに保存したまま、リモコン（図示省略）、機器本体（図示省略）又は無線ネットワークＮからの復帰信号（例えば、電源オン信号、電源オン移行通知信号）のみを受け付け、サーバ装置２を構成するその他の各装置構成部への電源供給を遮断した状態をいう。スタンバイ状態では、メモリ等の特定の装置構成部のみが稼動することとなり、電源オン状態への復帰を、電源オフ状態からの復帰に比べて、短時間で行うことができる。
一方、本サーバ装置２における電源オフ状態とは、リモコン（図示省略）や、無線ネットワークＮを介して送信されるいかなる信号も受け付けず、機器本体（図示省略）からの電源オン信号のみを受け付けて、サーバ装置２を構成する全ての装置構成部に対しての電源供給が遮断された状態をいい、電源オフ状態に移行する直前のメモリ内容はクリアされる。電源オフ状態では、全装置構成部の稼動が停止するため、電源オフ状態ではスタンバイ状態に比べて電力消費を大幅に抑えることができる。
ここでいう全装置構成部は、本実施形態のサーバ装置２では、例えば、無線通信部２１、エンコーダ２２、電源部２３、制御部２４等を指している。
【００４０】
制御部２４は、例えば、図２に示すように、ＣＰＵ２４１、ＲＡＭ２４２、ＲＯＭ２４３などを備えている。
【００４１】
ＣＰＵ２４１は、ＲＯＭ２４３に記憶されたサーバ装置２用の各種処理プログラムに従って各種の制御動作を行う。
【００４２】
ＲＡＭ２４２は、ＣＰＵ２４１によって実行される処理プログラムなどを展開するためのプログラム格納領域や、入力データや上記処理プログラムが実行される際に生じる処理結果などを格納するデータ格納領域などを備える。
【００４３】
ＲＯＭ２４３は、サーバ装置２で実行可能なシステムプログラム、当該システムプログラムで実行可能な各種処理プログラム、これら各種処理プログラムを実行する際に使用されるデータ、ＣＰＵ２４１によって演算処理された処理結果のデータなどを記憶する。なお、プログラムは、コンピュータが読み取り可能なプログラムコードの形でＲＯＭ２４３に記憶されている。
具体的には、ＲＯＭ２４３には、例えば、受信プログラム２４３ａと、判断プログラム２４３ｂと、電源オフ移行プログラム２４３ｃと、スタンバイ移行プログラム２４３ｄと、電源オン移行プログラム２４３ｅと等が格納されている。
【００４４】
受信プログラム２４３ａは、例えば、ＣＰＵ２４１に、クライアント端末装置４から送信された電源オフ移行通知信号、スタンバイ移行通知信号又は電源オン移行通知信号を受信する機能を実現させるためのプログラムである。
具体的には、ＣＰＵ２４１は、クライアント端末装置４とのリンク中に、無線ネットワークＮを介してクライアント端末装置４から送信された電源オフ移行通知信号又はスタンバイ移行通知信号を、無線通信部２１により受信する。また、ＣＰＵ２４１は、スタンバイ状態において、無線ネットワークＮを介してクライアント端末装置４から送信された電源オン移行通知信号を、無線通信部２１により受信する。
ＣＰＵ２４１は、かかる受信プログラム２４３ａを実行することにより、受信手段として機能する。
【００４５】
判断プログラム２４３ｂは、例えば、ＣＰＵ２４１に、電源オフ移行通知信号又はスタンバイ移行通知信号を受信した際に、当該サーバ装置２に接続されているクライアント端末装置４が、当該電源オフ状態移行通知信号又はスタンバイ移行通知信号を送信したクライアント端末装置４のみであるか否かを判断する機能を実現させるためのプログラムである。
具体的には、ＣＰＵ２４１は、クライアント端末装置４から無線ネットワークＮを介して送信された電源オフ移行通知信号を無線通信部２１により受信すると、ＭＡＣ２１ｂに、サーバ装置２に接続されているクライアント数を検出させる。そして、ＭＡＣ２１ｂにより検出されたクライアント数が「１」である場合には、サーバ装置２に接続されたクライアント端末装置４が電源オフ移行通知信号を送信したクライアント端末装置４のみであると判断して、判断結果を一時的にＲＡＭ２４２に記憶させるとともに、ＭＡＣ２１ｂにより検出されたクライアント数が「２以上」である場合には、サーバ装置２に接続されているクライアント端末装置４が電源オフ移行通知信号を送信されたクライアント端末装置４のみでないと判断して、判断結果を一時的にＲＡＭ２４２に記憶させる。
また、ＣＰＵ２４１は、クライアント端末装置４から無線ネットワークＮを介して送信されたスタンバイ移行通知信号を無線通信部２１により受信すると、ＭＡＣ２１ｂに、サーバ装置２に接続されているクライアント数を検出させる。そして、ＭＡＣ２１ｂにより検出されたクライアント数が「１」である場合には、サーバ装置２に接続されたクライアント端末装置４がスタンバイ移行通知信号を送信したクライアント端末装置４のみであると判断して、判断結果を一時的にＲＡＭ２４２に記憶させるとともに、ＭＡＣ２１ｂにより検出されたクライアント数が「２以上」である場合には、サーバ装置２に接続されているクライアント端末装置４がスタンバイ移行通知信号を送信されたクライアント端末装置４のみでないと判断して、判断結果を一時的にＲＡＭ２４２に記憶させる。
ＣＰＵ２４１は、かかる判断プログラム２４３ｂを実行することにより、判断手段として機能する。
【００４６】
電源オフ移行プログラム２４３ｃは、例えば、ＣＰＵ２４１に、判断プログラム２４３ｂの実行により、当該サーバ装置２に接続されているクライアント端末装置４が電源オフ移行通知信号を送信したクライアント端末装置４のみであると判断された場合に、受信プログラム２４３ａの実行による電源オフ移行通知信号の受信に基づいて、電源オフ状態に移行する機能を実現させるためのプログラムである。
具体的には、ＣＰＵ２４１は、クライアント端末装置４から無線ネットワークＮを介して送信された電源オフ移行通知信号を無線通信部２１により受信し、判断プログラム２４３ｂの実行によりサーバ装置２に接続されたクライアント端末装置４が当該電源オフ移行通知信号を送信したクライアント端末装置４のみであるか否かの判断が行われると、ＲＡＭ２４２に記憶された判断結果を参照して、サーバ装置２に接続されたクライアント端末装置４がスタンバイ移行通知信号を送信したクライアント端末装置４のみである場合には、受信した電源オフ移行通知信号に基づいて電源部２３に制御信号を出力することにより、電源部２３を電源オフ状態に制御して全装置構成部への電源供給を停止させる。
ＣＰＵ２４１は、かかる電源オフ移行プログラム２４３ｃを実行することにより、電源オフ移行手段として機能する。
【００４７】
スタンバイ移行プログラム２４３ｄは、例えば、ＣＰＵ２４１に、判断プログラム２４３ｂの実行により、当該サーバ装置２に接続されているクライアント端末装置４がスタンバイ移行通知信号を送信したクライアント端末装置４のみであると判断された場合に、受信プログラム２４３ａの実行によるスタンバイ移行通知信号の受信に基づいて、スタンバイ状態に移行する機能を実現させるためのプログラムである。
具体的には、ＣＰＵ２４１は、クライアント端末装置４から無線ネットワークＮを介して送信されたスタンバイ移行通知信号を無線通信部２１により受信し、判断プログラム２４３ｂの実行によりサーバ装置２に接続されたクライアント端末装置４が当該スタンバイ移行通知信号を送信したクライアント端末装置４のみであるか否かの判断が行われると、ＲＡＭ２４２に記憶された判断結果を参照して、サーバ装置２に接続されたクライアント端末装置４がスタンバイ移行通知信号を送信したクライアント端末装置４のみである場合には、受信した電源オフ移行通知信号に基づいて電源部２３に制御信号を出力することにより、電源部２３をスタンバイ状態に制御して所定の各装置構成部への電源供給を停止させる。
ＣＰＵ２４１は、かかるスタンバイ移行プログラム２４３ｄを実行することにより、スタンバイ移行手段として機能する。
【００４８】
電源オン移行プログラム２４３ｅは、例えば、ＣＰＵ２４１に、受信プログラム２４３ａの実行による電源オン移行通知信号の受信に基づいて、電源オン状態に移行する機能を実現させるためのプログラムである。
具体的には、ＣＰＵ２４１は、スタンバイ状態において、クライアント端末装置４から無線ネットワークＮを介して送信された電源オン移行通知信号を無線通信部２１により受信すると、受信した電源オン移行通知信号に基づいて電源部２３に制御信号を出力することにより、電源部２３を電源オン状態に制御して全装置構成部への電源供給を開始させる。
ＣＰＵ２４１は、かかる電源オン移行プログラム２４３ｅを実行することにより、電源オン移行手段として機能する。
【００４９】
＜クライアント・サーバシステムによる電源オフ移行通知処理＞
次に、本クライアント・サーバシステムＳによる電源オフ状態移行処理について、図３のフローチャートを参照して説明する。
【００５０】
まず、クライアント端末装置４とサーバ装置２はリンク中であり、データの送受信を行っている。この状態で、クライアント端末装置４のＣＰＵ４５１は、制御部４５への信号入力を監視し、ステップＳ１において、機器本体４１に備わる電源オン／オフキー４１ａが操作されたか否かを判断する。ＣＰＵ４５１は、ステップＳ１において、電源オン／オフキー４１ａが操作されたと判断すると（ステップＳ１；Ｙｅｓ）、ステップＳ２において、主電源部４３に制御信号を出力することにより、主電源部４３を電源オフ状態に制御してクライアント端末装置４の全装置構成部への電源供給を停止させる電源オフ処理を行うことにより電源オフ状態に移行し、さらに、ステップＳ３において、予備電源部４４からの電源供給により、電源オフ状態に移行することを通知する電源オフ移行通知信号を、無線通信部４６を介してサーバ装置２に送信し、本処理を終了する。
一方、サーバ装置２は、ステップＳ４において、クライアント端末装置４から送信された電源オフ移行通知信号を無線通信部２１において受信すると、ステップＳ５において、ＭＡＣ２１ｂによりサーバ装置２に接続されたクライアント端末装置４の数を検出させ、検出された接続クライアント数に基づいて、サーバ装置２に接続されたクライアント端末装置４が電源オフ移行通知信号を送信したクライアント端末装置４のみか否かを判断する（ステップＳ６）。ＣＰＵ２４１は、ステップＳ６において、サーバ装置２に接続されたクライアント端末装置４数が「１」であり、サーバ装置２に接続されたクライアント端末装置４が電源オフ移行通知信号を送信したクライアント端末装置４のみであると判断すると（ステップＳ６；Ｙｅｓ）、ステップＳ７において、電源部２３に制御信号を出力することにより、電源部２３を電源オフ状態に制御してサーバ装置２の全装置構成部への電源供給を停止させる電源オフ処理を行うことにより電源オフ状態に移行し、本処理を終了する。一方、ＣＰＵ２４１は、ステップＳ６において、サーバ装置２に接続されたクライアント端末装置４数が「２以上」であり、サーバ装置２に接続されたクライアント端末装置４が電源オフ移行通知信号を送信したクライアント端末装置４のみでないと判断すると（ステップＳ６；Ｎｏ）、電源オフ処理を行うことなく本処理を終了する。
【００５１】
＜クライアント・サーバシステムによるスタンバイ移行通知処理＞
次に、本クライアント・サーバシステムＳによるスタンバイ状態移行処理について、図４のフローチャートを参照して説明する。
【００５２】
まず、クライアント端末装置４とサーバ装置２はリンク中であり、データの送受信を行っている。この状態で、クライアント端末装置４のＣＰＵ４５１は、リモコン信受光部４１からの信号入力を監視し、ステップＳ１１において、リモコン４２に備わる電源オン／スタンバイキー４２ａが操作されたか否かを判断する。ＣＰＵ４５１は、ステップＳ１１において、リモコン４２の電源オン／スタンバイキー４２ａが操作されたと判断すると（ステップＳ１１；Ｙｅｓ）、ステップＳ１２において、主電源部４３に制御信号を出力することにより、主電源部４３をスタンバイ状態に制御してクライアント端末装置４の各装置構成部への電源供給を停止させるスタンバイ処理を行うことによりスタンバイ状態に移行し、さらに、ステップＳ１３において、予備電源部４４からの電源供給により、スタンバイ状態に移行することを通知するスタンバイ移行通知信号を、無線通信部４６を介してサーバ装置２に送信し、本処理を終了する。
一方、サーバ装置２は、ステップＳ１４において、クライアント端末装置４から送信されたスタンバイ移行通知信号を無線通信部２１において受信すると、ステップＳ１５において、ＭＡＣ２１ｂによりサーバ装置２に接続されたクライアント端末装置４の数を検出させ、検出された接続クライアント数に基づいて、サーバ装置２に接続されたクライアント端末装置４がスタンバイ移行通知信号を送信したクライアント端末装置４のみか否かを判断する（ステップＳ１６）。ＣＰＵ２４１は、ステップＳ１６において、サーバ装置２に接続されたクライアント端末装置４数が「１」であり、サーバ装置２に接続されたクライアント端末装置４がスタンバイ移行通知信号を送信したクライアント端末装置４のみであると判断すると（ステップＳ１６；Ｙｅｓ）、ステップＳ１７において、電源部２３に制御信号を出力することにより、電源部２３をスタンバイ状態に制御してサーバ装置２の各装置構成部への電源供給を停止させるスタンバイ処理を行うことによりスタンバイ状態に移行し、本処理を終了する。一方、ＣＰＵ２４１は、ステップＳ１６において、サーバ装置２に接続されたクライアント端末装置４数が「２以上」であり、サーバ装置２に接続されたクライアント端末装置４がスタンバイ移行通知信号を送信したクライアント端末装置４のみでないと判断すると（ステップＳ１６；Ｎｏ）、スタンバイ処理を行うことなく本処理を終了する。
【００５３】
＜クライアント・サーバシステムによる電源オン状態移行通知処理＞
次に、本クライアント・サーバシステムＳによる電源オン状態移行処理について、図５のフローチャートを参照して説明する。
【００５４】
まず初めに、クライアント端末装置４はスタンバイ状態或いは電源オフ状態であり（ステップＳ２１）、またサーバ装置２は無線ネットワークＮやリモコン（図示省略）からの制御が有効となるスタンバイ状態である（ステップＳ２２）。クライアント端末装置４のＣＰＵ４５１は、制御部４５への信号入力を監視し、ステップＳ２３において、機器本体４１に備わる電源オン／オフキー４１ａ或いはリモコン４２に備わる電源オン／スタンバイキー４２ａが操作されたか否かを判断する。ＣＰＵ４５１は、ステップＳ２３において、機器本体４１の電源オン／オフキー４１ａ又はリモコン４２の電源オン／スタンバイキー４２ａが操作されたと判断すると（ステップＳ２３；Ｙｅｓ）、ステップＳ２４において、主電源部４３に制御信号を出力することにより、主電源部４３を電源オン状態に制御してクライアント端末装置４の全装置構成部への電源供給を開始させる電源オン処理を行って電源オン状態に移行し、さらに、ステップＳ２５において、電源オン状態に移行することを通知する電源オン移行通知信号を、無線通信部４６を介してサーバ装置２に送信し、本処理を終了する。
一方、サーバ装置２は、ステップＳ２６において、クライアント端末装置４から送信された電源オン移行通知信号を無線通信部２１において受信すると、ステップＳ２７において、受信された電源オン移行通知信号に基づいて、電源部２３を電源オン状態に制御してサーバ装置２の全装置構成部への電源供給を開始させる電源オン処理を行い、電源オン状態に移行して、本処理を終了する。
【００５５】
以上説明した本発明にかかるクライアント・サーバシステムＳによれば、クライアント端末装置４は、サーバ装置２とのリンク中に電源オフ状態に移行する場合に、ＣＰＵ４５１による電源オフ移行通知プログラム４５３ａの実行により電源オフ状態に移行することを通知する電源オフ移行通知信号をサーバ装置２に送信し、サーバ装置２とのリンク中にスタンバイ状態に移行する場合に、スタンバイ移行通知プログラム４５３ｂの実行によりスタンバイ状態に移行することを通知するスタンバイ移行通知信号をサーバ装置２に送信し、さらに、電源オフ状態或いはスタンバイ状態から電源オン状態に移行する場合に、電源オン移行通知プログラム４５３ｃの実行により電源オン状態に移行することを通知する電源オン移行通知信号をサーバ装置２に送信する。また、サーバ装置２は、ＣＰＵ２４１による受信プログラム２４３ａの実行によりクライアント端末装置４から送信された電源オフ移行通知信号又はスタンバイ移行通知信号若しくは電源オン移行通知信号を受信し、受信プログラム２４３ａの実行により電源オフ移行通知信号又はスタンバイ移行通知信号を受信した際に、判断プログラム２４３ｂの実行により当該サーバ装置２に接続されているクライアント端末装置４が電源オフ移行通知信号又はスタンバイ移行通知信号を送信したクライアント端末装置４のみであるか否かを判断する。さらに、電源オフ移行プログラム２４３ｃの実行により、電源オフ移行通知信号の受信に基づいて電源オフ状態に移行し、スタンバイ移行プログラム２４３ｄの実行により、スタンバイ移行通知信号の受信に基づいてスタンバイ状態に移行し、電源オン移行プログラム２４３ｅの実行により、電源オン移行通知信号の受信に基づいて電源オン状態に移行し、電源オフ移行プログラム２４３ｃ及びスタンバイ移行プログラム２４３ｄは、判断プログラム２４３ｂの実行により、当該サーバ装置２に接続されているクライアント端末装置４が電源オフ移行通知信号又はスタンバイ移行通知信号を送信したクライアント端末装置４のみであると判断された場合に実行される。従って、サーバ装置２に他のクライアント端末装置４が接続されていない場合にのみ、一のクライアント端末装置４の制御により当該サーバ装置２の電源状態を電源オフ状態又はスタンバイ状態に好適に制御することができ、また、手動でサーバ装置２を電源オフ状態又はスタンバイ状態或いは電源オン状態に制御する手間を省くことができることとなって、ユーザにとって使い勝手の良いクライアント・サーバシステムＳを提供することができる。
【００５６】
なお、本発明は、上記実施の形態に限定されることなく、本発明の趣旨を逸脱しない範囲において種々の改良並びに設計の変更を行ってもよい。
例えば、電源オフ移行通知プログラム４５３ａ及びスタンバイ状態移行通知プログラムの実行において、電源オフ移行通知信号及びスタンバイ移行通知信号は、主電源部４３による電源供給を停止した後に、予備電源部４４からの電源供給によりサーバ装置２に送信される構成について説明したが、主電源部４３による電源供給を停止する前に送信させる構成であっても良い。この場合には、予備電源部４４は必ずしも必要ないので、コストを削減できる。
また、例えば、機器本体４１に備わる電源オン／オフキー４１ａの操作により電源オフ状態に移行し、リモコン４２に備わる電源オン／スタンバイキー４２ａの操作によりスタンバイ状態に移行する構成を用いて説明したが、機器本体４１のキーによりスタンバイ状態に移行する構成であっても良いし、リモコン４２のキーにより電源オフ状態に移行する構成であっても良い。さらに、クライアント端末装置４において、タイマー予約の設定時間になると、電源オフ状態或いはスタンバイ状態への移行が自動的に行われる構成であっても良い。
また、例えば、電源オフ移行通知信号或いはスタンバイ移行通知信号の受信に基づいて、サーバ装置２を電源オフ状態／スタンバイ状態の何れに移行させるかを、ユーザが設定できる構成であっても良い。また、例えば、電源オフ移行通知信号、スタンバイ移行通知信号又は電源オン移行通知信号の受信に基づいて、サーバ装置２を電源オフ状態、スタンバイ状態或いは電源オン状態に制御するか否かを、ユーザが設定できる構成であっても良い。
【図面の簡単な説明】
【００５７】
【図１】本発明を適用した好適な一実施形態のクライアント・サーバシステムの全体構成を模式的に示す図である。
【図２】図１のクライアント・サーバシステムを構成するサーバ装置と、クライアント端末装置の要部構成を示すブロック図である。
【図３】図１のクライアント・サーバシステムによる電源オフ状態移行処理に係る動作の一例を示すフローチャートである。
【図４】図１のクライアント・サーバシステムによるスタンバイ状態移行処理に係る動作の一例を示すフローチャートである。
【図５】図１のクライアント・サーバシステムによる電源オン状態移行処理に係る動作の一例を示すフローチャートである。
【符号の説明】
【００５８】
２        サーバ装置
２４１    ＣＰＵ（受信手段、判断手段、電源オフ移行手段、スタンバイ移行手段、電源オン移行手段）
２４３ａ  受信プログラム（受信手段）
２４３ｂ  判断プログラム（判断手段）
２４３ｃ  電源オフ移行プログラム（電源オフ移行手段）
２４３ｄ  スタンバイ移行プログラム（スタンバイ移行手段）
２４３ｅ  電源オン移行プログラム（電源オン移行手段）
４        クライアント端末装置
４４      予備電源部（予備電源）
４５１    ＣＰＵ（電源オフ移行通知手段、スタンバイ移行通知手段、電源オン移行通知手段）
４５３ａ  電源オフ移行通知プログラム（電源オフ移行通知手段）
４５３ｂ  スタンバイ移行通知プログラム（スタンバイ移行通知手段）
４５３ｃ  電源オン移行通知プログラム（電源オン移行通知手段）
Ｎ        無線ネットワーク
Ｓ        クライアント・サーバシステム
【図１】
2007293776.tif 000003
【図２】
2007293776.tif 000004
【図３】
2007293776.tif 000005
【図４】
2007293776.tif 000006
【図５】
2007293776.tif 000007